(57)【要約】【課題】マクロ無線基地局ＭＢＳ（第１無線基地局）とフェムト無線基地局ＦＢＳ（第２無線基地局）との間で下りリンクの同期を取る。【解決手段】本発明に係る移動通信方法は、第２無線基地局ＦＢＳが、第１無線基地局ＭＢＳ配下の第１セルからの下り信号の受信タイミングの測定結果に基づいて、第２無線基地局ＦＢＳ配下の第２セルにおける下り信号の送信タイミングを調整する工程Ａを有する。【選択図】図６
2010166163.tif 000002
【特許請求の範囲】
【請求項１】
第２無線基地局が、第１無線基地局配下の第１セルからの下り信号の受信タイミングの測定結果に基づいて、該第２無線基地局配下の第２セルにおける下り信号の送信タイミングを調整する工程Ａを有することを特徴とする移動通信方法。
【請求項２】
前記第２無線基地局が、前記第１セルからの下り信号の受信タイミングを測定する工程Ｂを有することを特徴とする請求項１に記載の移動通信方法。
【請求項３】
前記第２セルにおいて通信中の移動局が、前記第１セルからの下り信号の受信タイミングを測定する工程Ｃと、
前記移動局が、前記第２無線基地局に対して、前記第１セルからの下り信号の受信タイミングの測定結果を通知する工程Ｄとを有することを特徴とする請求項１に記載の移動通信方法。
【請求項４】
前記工程Ａにおいて、前記第２無線基地局は、前記第１セルにおいて下り信号を送信する第１サブフレームの開始タイミングとを揃えるように、前記第２セルにおいて下り信号を送信する第２サブフレームの開始タイミングを調整することを特徴とする請求項１に記載の移動通信方法。
【請求項５】
前記工程Ａにおいて、前記第２無線基地局は、前記第１セルにおいて下り信号を送信する第１サブフレーム内の先頭３ＯＦＤＭシンボルと、前記第２セルにおいて下り信号を送信する第２サブフレーム内の先頭３ＯＦＤＭシンボルとが重ならないように、該第２サブフレームの開始タイミングを調整することを特徴とする請求項１に記載の移動通信方法。
【請求項６】
前記第２無線基地局は、前記工程Ｂにおいて、複数の第１セルからの下り信号の受信タイミングの測定結果を取得した場合には、前記工程Ａにおいて、最も受信レベルの強い下り信号の受信タイミングの測定結果に基づいて、前記第２セルにおける下り信号の送信タイミングを調整することを特徴とする請求項２に記載の移動通信方法。
【請求項７】
前記第２無線基地局は、前記工程Ｂにおいて、複数の第１セルからの下り信号の受信タイミングの測定結果を取得した場合には、前記工程Ａにおいて、最もＱｏＳが厳しい下り信号の受信タイミングの測定結果に基づいて、前記第２セルにおける下り信号の送信タイミングを調整することを特徴とする請求項２に記載の移動通信方法。
【請求項８】
第１無線基地局及び第２無線基地局が混在する移動通信システムにおいて該第２無線基地局として機能する無線基地局であって、
前記第１無線基地局配下の第１セルからの下り信号の受信タイミングの測定結果に基づいて、配下の第２セルにおける下り信号の送信タイミングを調整するように構成されている送信タイミング調整部を具備することを特徴とする無線基地局。
【請求項９】
前記第１セルからの下り信号の受信タイミングを測定するように構成されている測定部を具備することを特徴とする請求項８に記載の無線基地局。
【請求項１０】
前記第２セルにおいて通信中の移動局から、前記第１セルからの下り信号の受信タイミングの測定結果を取得するように構成されている取得部を具備することを特徴とする請求項８に記載の無線基地局。
【請求項１１】
前記送信タイミング調整部は、前記第１セルにおいて下り信号を送信する第１サブフレームの開始タイミングとを揃えるように、前記第２セルにおいて下り信号を送信する第２サブフレームの開始タイミングを調整するように構成されていることを特徴とする請求項８に記載の無線基地局。
【請求項１２】
前記送信タイミング調整部は、前記第１セルにおいて下り信号を送信する第１サブフレーム内の先頭３ＯＦＤＭシンボルと、前記第２セルにおいて下り信号を送信する第２サブフレーム内の先頭３ＯＦＤＭシンボルとが重ならないように、該第２サブフレームの開始タイミングを調整するように構成されていることを特徴とする請求項８に記載の無線基地局。
【請求項１３】
前記取得部が、複数の第１セルからの下り信号の受信タイミングの測定結果を取得した場合には、前記送信タイミング調整部は、最も受信レベルの強い下り信号の受信タイミングの測定結果に基づいて、前記第２セルにおける下り信号の送信タイミングを調整するように構成されていることを特徴とする請求項１０に記載の無線基地局。
【請求項１４】
前記取得部が、複数の第１セルからの下り信号の受信タイミングの測定結果を取得した場合には、前記送信タイミング調整部は、最もＱｏＳが厳しい下り信号の受信タイミングの測定結果に基づいて、前記第２セルにおける下り信号の送信タイミングを調整するように構成されていることを特徴とする請求項１０に記載の無線基地局。
【請求項１５】
第２無線基地局配下の第２セルにおいて通信中に、第１無線基地局配下の第１セルからの下り信号の受信タイミングを測定するように構成されている測定部と、
前記第２無線基地局に対して、前記第１セルからの下り信号の受信タイミングの測定結果を通知するように構成されている報告部とを具備することを特徴とする移動局。
【請求項１６】
前記報告部は、前記第２無線基地局に対して、前記第１セルからの下り信号の受信タイミングの測定結果を含む測定報告を送信するように構成されていることを特徴とする請求項１５に記載の移動局。
【発明の詳細な説明】
【技術分野】
【０００１】
本発明は、移動通信方法、無線基地局及び移動局に関する。
【背景技術】
【０００２】
図７に示すように、マクロ無線基地局ＭＢＳ（Ｍａｃｒｏ  Ｂａｓｅ  Ｓｔａｔｉｏｎ、「ｅＮｏｄｅＢ」や「ｅＮＢ」とも呼ばれる）と、フェムト無線基地局ＦＢＳ（Ｆｅｍｔｏ  Ｂａｓｅ  Ｓｔａｔｉｏｎ、「ＨｅＮＢ」や「ＨＮＢ」とも呼ばれる）とが混在する移動通信システムの運用が検討されている。
【０００３】
ここで、マクロ無線基地局ＭＢＳと通信を行う移動局を「マクロ移動局ＭＵＥ（Ｍａｃｒｏ  Ｕｓｅｒ  Ｅｑｕｉｐｍｅｎｔ）」と呼び、フェムト無線基地局ＦＢＳと通信を行う移動局を「フェムト移動局ＦＵＥ（Ｆｅｍｔｏ  Ｕｓｅｒ  Ｅｑｕｉｐｍｅｎｔ）」と呼ぶ。
【０００４】
また、フェムト無線基地局ＦＢＳ配下のセルは、「ＣＳＧ（Ｃｌｏｓｅｄ  Ｓｕｂｓｃｒｉｂｅｒ  Ｇｒｏｕｐ）セル」と呼ばれてもよい。ＣＳＧセルでは、ＣＳＧに属する特定の移動局にのみ接続が許容される。例えば、家族毎にＣＳＧが設定され、家族のみが家庭に設置したＣＳＧセルに接続可能となる、といった具合である。ＣＳＧセルでは、接続許可される移動局がＣＳＧメンバーに限定されるため、ＣＳＧセルへのアクセス権のない移動局がＣＳＧセルの近傍に居て、他のセル、例えば、マクロ無線基地局ＭＢＳ配下のセルに接続して通信を行っている場合が容易に想定される。
【０００５】
このように、フェムト無線基地局ＦＢＳ及びマクロ無線基地局ＭＢＳが混在する環境下では、フェムト無線基地局ＦＢＳの勢力圏内にマクロ移動局ＭＵＥが存在する場合がある。
【先行技術文献】
【非特許文献】
【０００６】
【非特許文献１】３ＧＰＰ  ＴＳ３６.３００  ｖ８.７.０
【発明の概要】
【発明が解決しようとする課題】
【０００７】
しかしながら、上述の移動通信システムにおいて、マクロ無線基地局ＭＢＳ及びフェムト無線基地局ＦＢＳが同一の周波数帯域において運用された場合には、著しい品質劣化や容量低下を招く可能性があるという問題点があった。
【０００８】
特に、マクロ移動局ＭＵＥが、フェムト無線基地局ＦＢＳの近傍に存在する場合、マクロ移動局ＭＵＥとフェムト無線基地局ＦＢＳとの干渉が問題となる。
【０００９】
特に、マクロ移動局ＭＵＥが、フェムト無線基地局ＦＢＳ配下のＣＳＧセルへのアクセス権がなく、フェムト無線基地局ＦＢＳの直近で通知を行おうとする場合、マクロ移動局ＭＵＥとフェムト無線基地局ＦＢＳとの干渉が深刻な問題となる。
【００１０】
図７の例では、同じマクロ無線基地局ＭＢＳに接続するマクロ移動局ＭＵＥ１及びＭＵＥ２であっても、マクロ移動局ＭＵＥ２とフェムト無線基地局ＦＢＳとの間の干渉は両者の距離が遠いため大きな問題とならないが、マクロ移動局ＭＵＥ１とフェムト無線基地局ＦＢＳとの間の干渉は両者の距離が近いため大きな問題となる。
【００１１】
例えば、マクロ移動局ＭＵＥ１が、上り信号を送信する際に、フェムト移動局ＦＵＥが、同時に同じ無線リソースを使って上り信号を送信すると、フェムト無線基地局ＦＢＳが、マクロ移動局ＭＵＥ１からの干渉を受け、フェムト移動局ＦＵＥからの上り信号を正しく受信できない可能性がある。
【００１２】
同様に、マクロ移動局ＭＵＥ１が、マクロ無線基地局ＭＢＳからの下り信号を受信する際に、フェムト無線基地局ＦＢＳ、同時に同じ無線リソースを使ってフェムト移動局ＦＵＥに下り信号を送信すると、マクロ移動局ＭＵＥ１が、マクロ無線基地局ＭＢＳからの下り信号を正しく受信できない可能性がある。
【００１３】
このような状況において、マクロ移動局ＭＵＥ１とフェムト無線基地局ＦＢＳとの間の干渉を低減させる制御が検討されているが、マクロ無線基地局ＭＢＳとフェムト無線基地局ＦＢＳとの間で下りリンクの同期が取れていない場合には、かかる制御は不可能である。
【００１４】
そこで、本発明は、上述の課題に鑑みてなされたものであり、マクロ無線基地局ＭＢＳ（第１無線基地局）とフェムト無線基地局ＦＢＳ（第２無線基地局）との間で下りリンクの同期を取ることができる移動通信方法、無線基地局及び移動局を提供することを目的とする。
【課題を解決するための手段】
【００１５】
本発明の第１の特徴は、移動通信方法であって、第２無線基地局が、第１無線基地局配下の第１セルからの下り信号の受信タイミングの測定結果に基づいて、該第２無線基地局配下の第２セルにおける下り信号の送信タイミングを調整する工程Ａを有することを要旨とする。
【００１６】
本発明の第２の特徴は、第１無線基地局及び第２無線基地局が混在する移動通信システムにおいて該第２無線基地局として機能する無線基地局であって、前記第１無線基地局配下の第１セルからの下り信号の受信タイミングの測定結果に基づいて、配下の第２セルにおける下り信号の送信タイミングを調整するように構成されている送信タイミング調整部を具備することを要旨とする。
【００１７】
本発明の第３の特徴は、移動局であって、第２無線基地局配下の第２セルにおいて通信中に、第１無線基地局配下の第１セルからの下り信号の受信タイミングを測定するように構成されている測定部と、前記第２無線基地局に対して、前記第１セルからの下り信号の受信タイミングの測定結果を通知するように構成されている報告部とを具備することを要旨とする。
【発明の効果】
【００１８】
以上説明したように、本発明によれば、マクロ無線基地局ＭＢＳ（第１無線基地局）とフェムト無線基地局ＦＢＳ（第２無線基地局）との間で下りリンクの同期を取ることができる移動通信方法、無線基地局及び移動局を提供することができる。
【図面の簡単な説明】
【００１９】
【図１】本発明の第１の実施形態に係る移動通信システムの全体構成図である。
【図２】本発明の第１の実施形態に係るフェムト無線基地局の機能ブロック図である。
【図３】本発明の第１の実施形態に係るマクロ無線基地局及びフェムト無線基地局によって送信される報知情報の一例について説明するための図である。
【図４】本発明の第１の実施形態に係るフェムト無線基地局によって調整される報知情報の送信タイミングの一例について説明するための図である。
【図５】本発明の第１の実施形態に係るフェムト移動局の機能ブロック図である。
【図６】本発明の第１の実施形態に係る移動通信システムの動作を示すシーケンス図である。
【図７】従来の移動通信システムの問題点を説明するための図である。
【発明を実施するための形態】
【００２０】
（本発明の第１の実施形態に係る移動通信システムの構成）
図１乃至図５を参照して、本発明の第１の実施形態に係る移動通信システムの構成について説明する。
【００２１】
図１に示すように、本実施形態に係る移動通信システムは、マクロ無線基地局ＭＢＳ１乃至ＭＢＳ３（第１無線基地局）と、フェムト無線基地局ＦＢＳ１乃至ＦＢＳ３（第１無線基地局）と、フェムト無線基地局ＦＢＳ１乃至ＦＢＳ３を集約するゲートウェイ装置ＨＧＷ（Ｈｏｍｅ  ｅＮＢ  Ｇａｔｅｗａｙ）と、マクロ無線基地局ＭＢＳ１乃至ＭＢＳ３を集約し、ゲートウェイ装置ＨＧＷに接続されている交換局ＭＭＥ（Ｍｏｂｉｌｉｔｙ  Ｍａｎａｇｅｍｅｎｔ  Ｅｑｕｉｐｍｅｎｔ）とを具備している。
【００２２】
フェムト無線基地局ＦＢＳ１乃至ＦＢＳ３とゲートウェイ装置ＨＧＷとがＳ１インターフェイスで接続されており、ゲートウェイ装置ＨＧＷと交換局ＭＭＥとがＳ１インターフェイスで接続されており、マクロ無線基地局ＭＢＳ１乃至ＭＢＳ３と交換局ＭＭＥとがＳ１インターフェイスで接続されており、マクロ無線基地局ＭＢＳ１乃至ＭＢＳ３同士がＸ２インターフェイスで接続されている。
【００２３】
ここで、フェムト無線基地局ＦＢＳ１乃至ＦＢＳ３同士がＸ２インターフェイスで接続されていてもよい。また、ゲートウェイ装置ＨＧＷを介することなく、フェムト無線基地局ＦＢＳ１乃至ＦＢＳ３と交換局ＭＭＥとがＳ１インターフェイスで接続されていてもよい。
【００２４】
以下、図２を参照して、フェムト無線基地局ＦＢＳ１乃至ＦＢＳ３の構成について説明する。ここで、フェムト無線基地局ＦＢＳ１乃至ＦＢＳ３の構成は、基本的に同一であるため、以下、これらを代表して、フェムト無線基地局ＦＢＳとして説明する。
【００２５】
図２に示すように、フェムト無線基地局ＦＢＳは、ＭＢＳ受信タイミング取得部１１と、ＭＢＳ受信タイミング測定部１２と、送信タイミング調整部１３とを具備している。ここで、フェムト無線基地局ＦＢＳは、ＭＢＳ受信タイミング取得部１１及び、ＭＢＳ受信タイミング測定部１２の少なくとも一方を具備していればよい。
【００２６】
ＭＢＳ受信タイミング取得部１１は、フェムト無線基地局ＦＢＳ（第２無線基地局）配下のフェムトセル（第２セル）において通信中のフェムト移動局ＦＵＥから、マクロ無線基地局ＭＢＳ（第１無線基地局）配下のマクロセル（第１セル）からの下り信号の受信タイミングの測定結果を取得するように構成されている。
【００２７】
例えば、ＭＢＳ受信タイミング取得部１１は、上述のフェムト移動局ＦＵＥから受信した測定報告（Ｍｅａｓｕｒｅｍｅｎｔ  Ｒｅｐｏｒｔ）に含まれている当該マクロセルからの下り信号の受信タイミングの測定結果を取得するように構成されていてもよい。
【００２８】
また、フェムト無線基地局ＦＢＳにおいて、ＭＢＳ受信タイミング取得部１１が、上述のマクロセルからの下り信号の受信タイミングの測定結果を取得する代わりに、ＭＢＳ受信タイミング測定部１２が、当該マクロセルからの下り信号の受信タイミングを測定するように構成されていてもよい。
【００２９】
例えば、ＭＢＳ受信タイミング測定部１２は、上述のマクロセルにおいて送信されている報知情報を構成するＭＩＢ（Ｍａｓｔｅｒ  Ｉｎｆｏｒｍａｔｉｏｎ  Ｂｌｏｃｋ）を受信し、上述のマクロセルからの下り信号の受信タイミングの測定結果として、かかるＭＩＢに含まれているＳＦＮ（Ｓｙｓｔｅｍ  Ｆｒａｍｅ  Ｎｕｍｂｅｒ）を取得するように構成されていてもよい。
【００３０】
また、ＭＢＳ受信タイミング測定部１２は、上述のマクロセルにおいて送信されている参照信号（ＲＳ：Ｒｅｆｅｒｅｎｃｅ  Ｓｉｇｎａｌ）を参照して、上述のマクロセルからの下り信号の受信タイミングを測定するように構成されていてもよい。
【００３１】
図３に、マクロ無線基地局ＭＢＳ及びフェムト無線基地局ＦＢＳによって送信される報知情報の一例を示す。
【００３２】
図３の例では、かかる報知情報には、上述したＭＩＢの他、８０ｍｓ周期で送信されるＳＩＢ１（Ｓｙｓｔｅｍ  Ｉｎｆｏｒｍａｔｉｏｎ  Ｂｌｏｃｋ  １）や、ＳＩ-１（Ｓｙｓｔｅｍ  Ｉｎｆｏｒｍａｔｉｏｎ-１）〜ＳＩ-４が含まれている。ＳＩ-１〜ＳＩ-４は、それぞれＳＩ-１ウィンドウ〜ＳＩ-４ウィンドウ内で送信されるように構成されている。
【００３３】
送信タイミング調整部１３は、ＭＢＳ受信タイミング取得部１１によって取得された当該マクロセルからの下り信号の受信タイミングの測定結果、或いは、ＭＢＳ受信タイミング測定部１２によって測定された当該マクロセルからの下り信号の受信タイミングに基づいて、上述のフェムトセルにおける下り信号の送信タイミングを調整するように構成されている。
【００３４】
例えば、送信タイミング調整部１３は、上述のマクロセルにおいて下り信号を送信する第１サブフレームの開始タイミングとを揃えるように、上述のフェムトセルにおいて下り信号を送信する第２サブフレームの開始タイミングを調整するように構成されていてもよい。
【００３５】
また、送信タイミング調整部１３は、上述のマクロセルにおいて下り信号を送信する第１サブフレーム内の先頭３ＯＦＤＭシンボルと、上述のフェムトセルにおいて下り信号を送信する第２サブフレーム内の先頭３ＯＦＤＭシンボルとが重ならないように、第２サブフレームの開始タイミングを調整するように構成されていてもよい。
【００３６】
各サブフレーム内の先頭３ＯＦＤＭシンボルにおいて、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）やＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）やＰＤＣＣＨ（Ｐｈｙｓｉｃａｌ  Ｄｏｗｎｌｉｎｋ  Ｃｏｎｔｒｏｌ  Ｃｈａｎｎｅｌ）用の無線リソースが割り当てられている。
【００３７】
したがって、フェムト移動局ＦＵＥにおいて、上述のマクロセルと上述のフェムトセルとの間で、ＰＣＦＩＣＨ信号やＰＨＩＣＨ信号やＰＤＣＣＨ信号同士が衝突するという事態を回避することができる。
【００３８】
ＰＣＦＩＣＨ信号やＰＨＩＣＨ信号やＰＤＣＣＨ信号には、ＨＡＲＱのような再送制御が適用されないため、これらの信号の品質を確保することは重要となる。
【００３９】
一方、残りのＯＦＤＭシンボルでは、ＰＤＳＣＨ（Ｐｈｙｓｉｃａｌ  Ｄｏｗｎｌｉｎｋ  Ｓｈａｒｅｄ  Ｃｈａｎｎｅｌ）信号が送信され、ＰＤＳＣＨ信号に対してはＨＡＲＱによる再送制御が適用される。
【００４０】
従って、フェムト無線基地局ＦＢＳのＰＣＦＩＣＨ信号やＰＨＩＣＨ信号やＰＤＣＣＨ信号と、マクロ無線基地局ＭＢＳのＰＤＳＣＨ信号とが衝突し、マクロ無線基地局ＦＢＳのＰＣＦＩＣＨ信号やＰＨＩＣＨ信号やＰＤＣＣＨ信号と、フェムト無線基地局ＭＢＳのＰＤＳＣＨ信号とが衝突するようにして、ＰＤＳＣＨの品質を落として送信し、ＰＤＳＣＨ信号は、ＨＡＲＱ再送によって救うことが有効となる。
【００４１】
また、送信タイミング調整部１３は、図４に示すように、上述のフェムトセルにおける下りリンクの「ＳＦＮ＝０」及び「サブフレーム番号＝０」のサブフレームの位置を、上述のマクロセルにおける下りリンクの「ＳＦＮ＝０」及び「サブフレーム番号＝０」のサブフレームの位置から、「ＳＩウィンドウ長」×「ＳＩ数」＋「ｎ（受信した調整指示に含まれるサブフレーム数）」だけずらすように調整してもよい。
【００４２】
ここで、ＳＩ-１ウィンドウ長〜ＳＩ-１ウィンドウ長は、同一の長さ（ＳＩウィンドウ長）である。また、「ＳＩウィンドウ長」及び「ＳＩ数」は、ＳＩＢ１内に含まれている。
【００４３】
具体的には、送信タイミング調整部１３は、当該フェムトセルにおいて通信中のフェムト移動局ＦＵＥが存在していない状態において、当該フェムトセルにおける下り信号の送信タイミングを調整するように構成されていてもよい。
【００４４】
また、送信タイミング調整部１３は、所定時間ずつ、当該フェムトセルにおける下り信号の送信タイミングを調整していくように構成されていてもよい。
【００４５】
ここで、送信タイミング調整部１３は、当該フェムトセルにおいて通信中のフェムト移動局ＦＵＥが存在しているか否かに関係なく、所定時間ずつ、当該フェムトセルにおける下り信号の送信タイミングを調整していくように構成されていてもよい。
【００４６】
なお、所定時間は、「Ｃｙｃｌｉｃ  Ｐｒｅｆｉｘ」によって規定されている時間よりも短い時間であり、時間そのものであってもよいし、サブフレーム数であってもよい。
【００４７】
このように、かかる送信タイミングを所定時間内で少しずつ調整することは、当該フェムト移動局ＦＵＥの下り同期を維持するために有益となる。すなわち、送信タイミング調整部１３は、当該フェムトセル移動局ＦＵＥが下り同期を継続的に維持できる範囲で、少しずつ当該フェムトセルの送信タイミングを調整していく。
【００４８】
また、送信タイミング調整部１３は、周期的に、当該フェムトセルにおける下り信号の送信タイミングを調整してもよいし、フェムト無線基地局ＦＢＳの起動時に、当該フェムトセルにおける下り信号の送信タイミングを調整してもよいし、フェムト移動局ＦＵＥから当該測定結果を受信するたびに、当該フェムトセルにおける下り信号の送信タイミングを調整してもよい。
【００４９】
なお、フェムト無線基地局ＦＢＳは、送信タイミング調整部１３が上述の調整を行っている期間中は、当該フェムトセルにおいて下り信号を送信しないように構成されていてもよい。
【００５０】
また、ＭＢＳ受信タイミング取得部１１が、複数のマクロセルからの下り信号の受信タイミングの測定結果を取得した場合には、送信タイミング調整部１３は、最も受信レベル（例えば、ＲＳＲＰ（Ｒｅｆｅｒｅｎｃｅ  Ｓｉｇｎａｌ  Ｒｅｃｅｉｖｅｄ  Ｐｏｗｅｒ）や、ＲＳＲＱ（Ｒｅｆｅｒｅｎｃｅ  Ｓｉｇｎａｌ  Ｒｃｅｉｖｅｄ  Ｑｕａｌｉｔｙ））の強い下り信号の受信タイミングの測定結果に基づいて、上述のフェムトセルにおける下り信号の送信タイミングを調整するように構成されていてもよい。
【００５１】
或いは、ＭＢＳ受信タイミング取得部１１が、複数のマクロセルからの下り信号の受信タイミングの測定結果を取得した場合には、送信タイミング調整部１３は、最もＱｏＳ（Ｑｕａｌｉｔｙ  ｏｆ  Ｓｅｒｖｉｃｅ）が厳しい下り信号の受信タイミングの測定結果に基づいて、上述のフェムトセルにおける下り信号の送信タイミングを調整するように構成されていてもよい。ここで、ＱｏＳは、許容値遅延時間や許容伝送速度等によって規定される。
【００５２】
図５に示すように、上述のフェムトセルにおいて通信可能な移動局（以下、移動局ＦＵＥ）は、ＭＢＳ受信タイミング測定部２１と、ＭＢＳ受信タイミング報告部２２とを具備している。
【００５３】
ＭＢＳ受信タイミング測定部２１は、フェムト無線基地局ＦＢＳ配下のフェムトセルにおいて通信中に、マクロ無線基地局ＭＢＳ配下のマクロセルからの下り信号の受信タイミングを測定するように構成されている。
【００５４】
例えば、ＭＢＳ受信タイミング測定部２１は、ＭＢＳ受信タイミング測定部１２と同様に、上述のマクロセルにおいて送信されている報知情報を構成するＭＩＢを受信し、上述のマクロセルからの下り信号の受信タイミングの測定結果として、かかるＭＩＢに含まれているＳＦＮを取得するように構成されていてもよい。
【００５５】
また、ＭＢＳ受信タイミング測定部２１は、ＭＢＳ受信タイミング測定部１２と同様に、上述のマクロセルにおいて送信されている参照信号を参照して、上述のマクロセルからの下り信号の受信タイミングを測定するように構成されていてもよい。
【００５６】
ＭＢＳ受信タイミング報告部２２は、フェムト無線基地局ＦＢＳに対して、上述のマクロセルからの下り信号の受信タイミングの測定結果を通知するように構成されている。
【００５７】
ここで、ＭＢＳ受信タイミング報告部２２は、フェムト無線基地局ＦＢＳに対して、上述のマクロセルからの下り信号の受信タイミングの測定結果を含む測定報告を送信するように構成されていてもよい。
【００５８】
なお、ＭＢＳ受信タイミング報告部２２は、かかる受信タイミングを測定する度に、測定報告を送信してもよいし、通常の測定報告の送信タイミングで、かかる受信タイミングを含む測定報告を送信してもよい。
【００５９】
（本発明の第１の実施形態に係る移動通信システムの動作）
図６を参照して、本発明の第１の実施形態に係る移動通信システムの動作について説明する。
【００６０】
図６に示すように、フェムト無線基地局ＦＢＳ配下のフェムトセルにおいて通信中のフェムト移動局ＦＵＥは、ステップＳ１００１において、マクロ無線基地局ＭＢＳ配下のマクロセルにおいて送信されている下り信号（例えば、ＲＳやＭＩＢやＳＩＢ１等）を受信する。
【００６１】
ステップＳ１００２において、フェムト移動局ＦＵＥは、当該マクロセルにおいて送信されている下り信号の受信タイミングを測定し、かかる測定結果を含む測定報告をマクロ無線基地局ＭＢＳに送信する。
【００６２】
ここで、フェムト移動局ＦＵＥは、かかる測定結果を算出する度に、測定報告を送信してもよいし、通常の測定報告の送信タイミングで、かかる測定結果を含む測定報告を送信してもよい。
【００６３】
ステップＳ１００３において、フェムト無線基地局ＦＢＳは、受信した測定報告から上述の測定結果を取得し、取得した測定結果（例えば、時間やサブフレーム数等）を用いて、当該フェムトセルにおける下り信号の送信タイミングを調整する。
【００６４】
（本発明の第１の実施形態に係る移動通信システムの作用・効果）
本発明の第１の実施形態に係る移動通信システムによれば、フェムト無線基地局ＦＢＳが、マクロ無線基地局ＭＢＳ配下のマクロセルにおいて送信されている下り信号の送信タイミング（すなわち、下りリンクのサブフレームの位置）に基づいて、フェムト無線基地局ＦＢＳ配下のフェムトセルにおいて送信されている下り信号の送信タイミング（すなわち、下りリンクのサブフレームの位置）を調整することができるので、マクロ無線基地局ＭＢＳ配下のマクロセルとフェムト無線基地局ＦＢＳ配下のフェムトセルとの間で、下りリンクの同期を取ることができる。
【００６５】
また、本発明の第１の実施形態に係る移動通信システムによれば、フェムト無線基地局ＦＢＳが、配下のフェムトセルにおける下りリンクの「ＳＦＮ＝０」及び「サブフレーム番号＝０」のサブフレームの位置を、「ＳＩウィンドウ長」×「ＳＩ数」＋「ｎ」だけ、マクロ無線基地局ＭＢＳ配下のマクロセルにおける下りリンクの「ＳＦＮ＝０」及び「サブフレーム番号＝０」のサブフレームの位置からずらすように調整することによって、当該マクロセルと当該フェムトセルとの間で、下りリンクのＳＩウィンドウ同士が重なる確率を減らすことができ、ＳＩの相互干渉を回避し易くすることができる。
【００６６】
また、本発明の第１の実施形態に係る移動通信システムによれば、フェムト無線基地局ＦＢＳが、上述の「ｎ」を調整して、当該マクロセルと当該フェムトセルとの間で、ＭＩＢの送信タイミング同士が重ならないように、「ＳＦＮ＝０」及び「サブフレーム番号＝０」のサブフレームの位置をずらすことで、ＭＩＢの相互干渉を回避し易くすることができる。
【００６７】
一方、本発明の第１の実施形態に係る移動通信システムによれば、マクロ無線基地局ＭＢＳ配下のマクロセルとフェムト無線基地局ＦＢＳ配下のフェムトセルとの間で、各サブフレームの先頭位置を揃えることで、すなわち、サブフレーム単位で同期を取ることで、ＰＤＳＣＨ（Ｐｈｙｓｉｃａｌ  Ｄｏｗｎｌｉｎｋ  Ｓｈａｒｅｄ  Ｃｈａｎｎｅｌ）やＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＵＳＣＨ（Ｐｈｙｓｉｃａｌ  Ｕｐｌｉｎｋ  Ｓｈａｒｅｄ  Ｃｈａｎｎｅｌ）やＰＵＣＣＨ（Ｐｈｙｓｉｃａｌ  Ｕｐｌｉｎｋ  Ｃｏｎｔｒｏｌ  Ｃｈａｎｎｅｌ）等の無線リソースの割り当て制御が容易になる。
【００６８】
以上に述べた本実施形態の特徴は、以下のように表現されていてもよい。
【００６９】
本実施形態の第１の特徴は、移動通信方法であって、フェムト無線基地局ＦＢＳ（第２無線基地局）が、マクロ無線基地局ＭＢＳ（第１無線基地局）配下のマクロセル（第１セル）からの下り信号の受信タイミングの測定結果に基づいて、フェムト無線基地局ＦＢＳ配下のフェムトセル（第２セル）における下り信号の送信タイミングを調整する工程Ａを有することを要旨とする。
【００７０】
本実施形態の第１の特徴において、フェムト無線基地局ＦＢＳが、上述のマクロセルからの下り信号の受信タイミングを測定する工程Ｂを有してもよい。
【００７１】
本実施形態の第１の特徴において、上述のフェムトセルにおいて通信中のフェムト移動局ＦＵＥが、上述のマクロセルからの下り信号の受信タイミングを測定する工程Ｃと、フェムト移動局ＦＵＥが、フェムト無線基地局ＦＢＳに対して、上述のマクロセルからの下り信号の受信タイミングの測定結果を通知する工程Ｄとを有してもよい。
【００７２】
本実施形態の第１の特徴において、工程Ａにおいて、フェムト無線基地局ＦＢＳは、上述のマクロセルにおいて下り信号を送信する第１サブフレームの開始タイミングとを揃えるように、上述のフェムトセルにおいて下り信号を送信する第２サブフレームの開始タイミングを調整してもよい。
【００７３】
本実施形態の第１の特徴において、工程Ａにおいて、フェムト無線基地局ＦＢＳは、上述のマクロセルにおいて下り信号を送信する第１サブフレーム内の先頭３ＯＦＤＭシンボルと、上述のフェムトセルにおいて下り信号を送信する第２サブフレーム内の先頭３ＯＦＤＭシンボルとが重ならないように、第２サブフレームの開始タイミングを調整してもよい。
【００７４】
本実施形態の第１の特徴において、フェムト無線基地局ＦＢＳは、工程Ｂにおいて、複数のマクロセル（第１セル）からの下り信号の受信タイミングの測定結果を取得した場合には、工程Ａにおいて、最も受信レベルの強い下り信号の受信タイミングの測定結果に基づいて、上述のフェムトセルにおける下り信号の送信タイミングを調整してもよい。
【００７５】
本実施形態の第１の特徴において、フェムト無線基地局ＦＢＳは、工程Ｂにおいて、複数のマクロセルからの下り信号の受信タイミングの測定結果を取得した場合には、工程Ａにおいて、最もＱｏＳが厳しい下り信号の受信タイミングの測定結果に基づいて、上述のフェムトセルにおける下り信号の送信タイミングを調整してもよい。
【００７６】
本実施形態の第２の特徴は、マクロ無線基地局ＭＢＳ及びフェムト無線基地局ＦＢＳが混在する移動通信システムにおいてフェムト無線基地局ＦＢＳとして機能する無線基地局であって、マクロ無線基地局ＭＢＳ配下のマクロセルからの下り信号の受信タイミングの測定結果に基づいて、配下のフェムトセルにおける下り信号の送信タイミングを調整するように構成されている送信タイミング調整部１３を具備することを要旨とする。
【００７７】
本実施形態の第２の特徴において、上述のマクロセルからの下り信号の受信タイミングを測定するように構成されているＭＢＳ受信タイミング測定部１２を具備してもよい。
【００７８】
本実施形態の第２の特徴において、上述のフェムトセルにおいて通信中のフェムト移動局ＦＵＥから、上述のマクロセルからの下り信号の受信タイミングの測定結果を取得するように構成されているＭＢＳ受信タイミング取得部１１を具備してもよい。
【００７９】
本実施形態の第２の特徴において、送信タイミング調整部１３は、上述のマクロセルにおいて下り信号を送信する第１サブフレームの開始タイミングとを揃えるように、上述のフェムトセルにおいて下り信号を送信する第２サブフレームの開始タイミングを調整するように構成されていてもよい。
【００８０】
本実施形態の第２の特徴において、送信タイミング調整部１３は、上述のマクロセルにおいて下り信号を送信する第１サブフレーム内の先頭３ＯＦＤＭシンボルと、上述のフェムトセルにおいて下り信号を送信する第２サブフレーム内の先頭３ＯＦＤＭシンボルとが重ならないように、第２サブフレームの開始タイミングを調整するように構成されていてもよい。
【００８１】
本実施形態の第２の特徴において、ＭＢＳ受信タイミング取得部１１が、複数のマクロセルからの下り信号の受信タイミングの測定結果を取得した場合には、送信タイミング調整部１３は、最も受信レベルの強い下り信号の受信タイミングの測定結果に基づいて、上述のフェムトセルにおける下り信号の送信タイミングを調整するように構成されていてもよい。
【００８２】
本実施形態の第２の特徴において、ＭＢＳ受信タイミング取得部１１が、複数のマクロセルからの下り信号の受信タイミングの測定結果を取得した場合には、送信タイミング調整部１３は、最もＱｏＳが厳しい下り信号の受信タイミングの測定結果に基づいて、上述のフェムトセルにおける下り信号の送信タイミングを調整するように構成されていてもよい。
【００８３】
本実施形態の第３の特徴は、移動局であって、フェムト無線基地局ＦＢＳ配下のフェムトセルにおいて通信中に、マクロ無線基地局ＭＢＳ配下のマクロセルからの下り信号の受信タイミングを測定するように構成されているＭＢＳ受信タイミング測定部２１と、フェムト無線基地局ＦＢＳに対して、上述のマクロセルからの下り信号の受信タイミングの測定結果を通知するように構成されているＭＢＳ受信タイミング報告部２２とを具備することを要旨とする。
【００８４】
本実施形態の第３の特徴において、ＭＢＳ受信タイミング報告部２２は、フェムト無線基地局ＦＢＳに対して、上述のマクロセルからの下り信号の受信タイミングの測定結果を含む測定報告を送信するように構成されていてもよい。
【００８５】
なお、上述のマクロ無線基地局ＭＢＳやフェムト無線基地局ＦＢＳやマクロ移動局ＭＵＥやフェムト移動局ＦＵＥや交換局ＭＭＥやゲートウェイ装置ＨＧＷの動作は、ハードウェアによって実施されてもよいし、プロセッサによって実行されるソフトウェアモジュールによって実施されてもよいし、両者の組み合わせによって実施されてもよい。
【００８６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、マクロ無線基地局ＭＢＳやフェムト無線基地局ＦＢＳやマクロ移動局ＭＵＥやフェムト移動局ＦＵＥや交換局ＭＭＥやゲートウェイ装置ＨＧＷ内に設けられていてもよい。また、かかる記憶媒体及びプロセッサは、ディスクリートコンポーネントとしてマクロ無線基地局ＭＢＳやフェムト無線基地局ＦＢＳやマクロ移動局ＭＵＥやフェムト移動局ＦＵＥや交換局ＭＭＥやゲートウェイ装置ＨＧＷ内に設けられていてもよい。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８９】
ＭＢＳ…マクロ無線基地局
ＭＵＥ…マクロ移動局
ＦＢＳ…フェムト無線基地局
ＦＵＥ…フェムト移動局
ＭＭＥ…交換局
ＨＧＷ…ゲートウェイ装置
１１…ＭＢＳ受信タイミング取得部
１２…ＭＢＳ受信タイミング測定部
１３…送信タイミング調整部
２１…ＭＢＳ受信タイミング測定部
２２…ＭＢＳ受信タイミング報告部
【図１】
2010166163.tif 000003
【図２】
2010166163.tif 000004
【図３】
2010166163.tif 000005
【図４】
2010166163.tif 000006
【図５】
2010166163.tif 000007
【図６】
2010166163.tif 000008
【図７】
2010166163.tif 000009